(57)【要約】特にマルチメディア作品が再生用にアクセス可能な情報媒体に記憶され、前記マルチメディア作品は表示に対応して表示画面上でナビゲーション動作を行うナビゲーション手段を含む制御部を備えた装置で再生される。前記媒体は、前記画面に表示されるページと、ページ間で実行される前記ナビゲーション動作の機能としてのこれらのページ間のリンクとを含んだオーサリングの構成を記憶する。本発明によると、前記構成は選択ページの集合を含み、それぞれの選択ページにおいて、ユーザーは選択の組合せを形成するために前記ナビゲーション手段を用いて複数の選択のうちひとつを選び、前記ページ間のリンクは、実行された様々な選択が所定の組合せに一致する場合にのみ作品の再生が可能になるよう設けられている。このようにして、所定のコードが入力された場合に、簡単なオーサリング工程により読み出しが実行される。【選択図】図１
2009517797.tif 000002
【特許請求の範囲】
【請求項１】
再生用にアクセス可能な情報媒体であって、且つ、表示に対応して表示画面上でナビゲーション動作を行うナビゲーション手段を含む制御部を備えた装置によって特に再生されるマルチメディア作品を記憶すると共に、オーサリングの構成を記憶する前記媒体は、前記画面に表示されるページと、ページ間で実行される前記ナビゲーション動作の機能としてのこれらのページ間のリンクとを含んだ媒体であって、
それぞれのページにおいて、選択の組合せを形成するために複数の選択のうちのひとつを前記ナビゲーション手段を用いてユーザーが選択する、選択ページの集合を含み、
前記ページ間のリンクは、実行された様々な選択が所定の組合せに一致する場合にのみ作品の再生が可能になるよう設けられている、ことを特徴とする媒体。
【請求項２】
請求項１に記載の媒体において、
前記組合せは連続している、ことを特徴とする媒体。
【請求項３】
請求項１又は２に記載の媒体において、
全ての選択が正しい組合せに一致する選択がなされた場合に応じている互いにリンクされた第１の選択ページ群と、少なくとも前記第１の選択ページ群のうちのいくつかと同じ外観をし、実行した選択とは関係なく互いにリンクされ、前記ページで間違った選択がなされた場合は前記第１のページ群のそれぞれのページへリンクする第２の選択ページ群とを含む、ことを特徴とする媒体。
【請求項４】
請求項３に記載の媒体において、
前記ページに含まれる選択要素は、英数字、図形又は単語で表示される、ことを特徴とする媒体。
【請求項５】
請求項１〜４のうちのいずれか１項に記載の媒体において、
前記作品は、初期設定でコンピュータを介して前記媒体上のファイルに直接アクセスすることで再生される、少なくとも映像又は音声用の１つのトラックを備えているマルチトラック形式で前記媒体に記録されており、初期設定で再生される前記トラックはおとりコンテンツを含み、
別のトラックは表示用のそのままの作品要素を含み、
前記再生装置は前記別のトラックのポインタを含む、ことを特徴とする媒体。
【請求項６】
特に媒体に記憶されたマルチメディア作品への再生用アクセスを得る方法であり、前記再生は、表示に対応して表示画面上でナビゲーション動作を行うナビゲーション手段を含む制御部を備えた装置を用いて行われ、前記媒体は、前記画面に表示されるページと、ページ間で実行される前記ナビゲーション動作の機能としてのこれらのページ間のリンクとを含む構成を記憶し、
それぞれのページにおいて、選択の組合せを形成するために複数の選択のうちのひとつをナビゲーション手段を用いてユーザーが選択する、ページの集合を表示する工程と、
実行された様々な前記選択が所定の組合せに一致している場合にのみ、前記媒体に記録された作品の再生を許可する工程と
を備える、ことを特徴とする方法。
【請求項７】
請求項６に記載の方法において、
前記選択の組合せは連続している、ことを特徴とする方法。
【請求項８】
請求項７に記載の方法において、
前記構成は、第１の選択ページ群と、少なくとも前記第１の選択ページ群のうちのいくつかと同一の外観を備えた第２の選択ページ群とを含み、
前記第１の選択ページ群のうちあるページで実行した選択が正しければ、前記第１の選択ページ群の次のページへリンクし、
前記第２の選択ページ群のうちあるページで実行した選択がどんな場合でも、前記第２の選択ページ群の次のページへリンクし、
前記第１の選択ページ群のうちあるページで実行した選択が正しくなければ、実行した選択とは関係なく互いにリンクし、その後それぞれのページでどんな間違った選択をしても、前記第１の選択ページ群の各ページへリンクする、ことを特徴とする方法。
【請求項９】
請求項８に記載の方法において、
前記ページに含まれる前記選択要素は英数字、図形又は単語で表示される、ことを特徴とする方法。
【請求項１０】
請求項６〜９のうちのいずれか１項に記載の方法において、
前記作品は、音声映像ファイルの少なくともひとつのトラックを指す再生装置で再生され、
前記音声映像ファイルは、前記媒体上の対応するファイルへコンピュータが直接アクセスすることにより読み出される規定のファイルではない、ことを特徴とする方法。
【発明の詳細な説明】
【技術分野】
【０００１】
本発明は、例えばＤＶＤ若しくはＣＤ、又は音声、映像若しくはマルチメディア媒体といった読み取り専用の媒体等に記録されたデータの一部又は全てへのアクセスを制限する装置に関する。
【背景技術】
【０００２】
従来より、例えばＤＶＤに記録された映画は、ＤＶＤ再生装置を持っている誰もが見る事ができた。
【０００３】
ビデオＤＶＤの発売元は、ＤＶＤとＤＶＤ再生装置を持っている全ての購入者が見ることができる映画（又は他のデータ）をＤＶＤへ記憶することができるだけで、映画へのアクセス権を特定の選ばれた人々に限定することはできない。
【０００４】
ＤＶＤの映画の再生に暗証コードを用いる条件付アクセスを設けた装置が既に知られている。ＷＯ２００４／１０９６７８では、暗証コードを知っていなければ正規かつ未修正版の映画を見るための再生装置にアクセスできないシステムが開示されている。このコードがなければ、作品の壊れた映像しか再生できない再生装置による再生しか許可されない。
【特許文献１】国際公開２００４／１０９６７８
【発明の開示】
【発明が解決しようとする課題】
【０００５】
ところが、この従来技術の第一の問題点は、入力されたコード（構造化したデータで、一般には数字）から、そのコードが正しい場合はそのプログラム自身の再生装置であり、コードが正しくない場合は、間違ったコードであるという表示をするか、壊れたプログラムを再生する再生装置である、ディスク上の目的地を判断するために、複雑な数学的な計算を含む指示を与えることが必要な点である。
【０００６】
したがって、ＤＶＤ再生装置はそのような処理を実行する手段を備えなければならず、これは低位機の再生装置では不可能である。
【０００７】
さらに、上記公報の簡単な例では、導入されたコードは所定の値と比較されるが、この値は不正行為者により媒体から直接読み出される可能性がある。
【０００８】
別の問題点は、実施形態のひとつにおいて、その映画の壊れた版を再生するために、媒体自身に連続した壊れたデータを記録する必要があり、その結果、「正規」版の映画のための領域が制限されてしまう点である。
【０００９】
本発明は斯かる諸点に鑑みてなされたものであり、その目的とするところは、上記従来技術の問題点を解決することであり、市販のＤＶＤ再生装置に対応しつつ、それらを変更することなく、媒体上で再生装置が行う指示を不要としたり、再生装置が複雑な数学的計算を行う手段を不要にしたりすることにある。
【課題を解決するための手段】
【００１０】
上記の目的を達成するために、本発明による媒体は、再生用にアクセス可能な情報媒体であって、且つ、表示に対応して表示画面上でナビゲーション動作を行うナビゲーション手段を含む制御部を備えた装置によって特に再生されるマルチメディア作品を記憶すると共に、前記画面に表示されるページと、ページ間で実行される前記ナビゲーション動作の機能としてのこれらのページ間のリンクとを含んだオーサリングの構成を記憶する媒体であって、それぞれの選択ページにおいて、選択の組合せを形成するために前記ナビゲーション手段を用いてユーザーが複数の選択のうちひとつを選択する、選択ページの集合を含み、前記ページ間のリンクは、実行された様々な選択が所定の組合せに一致する場合にのみ作品の再生が可能になるよう設けられていることを特徴とする。
【００１１】
これらに限定されるものではないが、好ましくは、上記媒体は以下のような特徴を有する。
【００１２】
−前記組合せは連続している。
【００１３】
−全ての選択が正しい組合せに一致する選択がなされた場合に応じている互いにリンクされた第１の選択ページ群と、少なくとも第１の選択ページ群のうちのいくつかと同じ外観をし、実行した選択とは関係なく互いにリンクされ、前記ページで間違った選択がなされた場合は第１のページ群のそれぞれのページへリンクする第２の選択ページ群とを含む。
【００１４】
−前記ページに含まれる選択要素は、英数字、図形又は単語で表示される。
【００１５】
−前記作品は、初期設定でコンピュータを介して前記媒体上のファイルに直接アクセスすることで再生される、少なくとも映像又は音声用の１つのトラックを備えているマルチトラック形式で前記媒体に記録されており、初期設定で再生される前記トラックはおとりコンテンツを含み、別のトラックは表示用のそのままの作品要素を含み、前記再生装置は前記別のトラックのポインタを含む。
【００１６】
本発明の第２の態様による方法は、特に媒体に記憶されたマルチメディア作品への再生用アクセスを得る方法であり、前記再生は、表示に対応して表示画面上でナビゲーション動作を行うナビゲーション手段を含む制御部を備えた装置を用いて行われ、前記媒体は、前記画面に表示されるページと、ページ間で実行される前記ナビゲーション動作の機能としてのこれらのページ間のリンクとを含む構成を記憶し、それぞれのページにおいて、選択の組合せを形成するために複数の選択のうちひとつをナビゲーション手段を用いてユーザーが選択する、ページの集合を表示する工程と、実行された様々な前記選択が所定の組合せに一致している場合にのみ、前記媒体に記録された作品の再生を許可する工程とを備えることを特徴とする。
【００１７】
これらに限定されるものではないが、好ましくは、上記方法は以下のような特徴を有する。
【００１８】
−前記選択の組合せは連続している。
【００１９】
−前記構成は、第１の選択ページ群と、少なくとも第１の選択ページ群のうちのいくつかと同一の外観を備えた第２の選択ページ群とを含み、前記第１の選択ページ群のうちあるページで実行した選択が正しければ、前記第１の選択ページ群の次のページへリンクし、前記第２の選択ページ群のうちあるページ実行した選択がどんな場合でも、前記第２の選択ページ群の次のページへリンクし、前記第１の選択ページ群のうちあるページで実行した選択が正しくなければ、実行した選択とは関係なく互いにリンクし、その後それぞれのページでどんな間違った選択をしても、上記第１の選択ページ群の各ページへリンクする。
【００２０】
−前記ページに含まれる前記選択要素は英数字、図形又は単語で表示される。
【００２１】
−前記作品は、音声映像ファイルの少なくともひとつのトラックを指す再生装置で再生され、前記音声映像ファイルは、前記媒体上の対応するファイルへコンピュータが直接アクセスすることにより読み出される規定のファイルではない。
【発明の効果】
【００２２】
したがって、本発明によると、全く変更していないＤＶＤ再生装置のリモコンを用いてページ毎のナビゲーションをし、所定の連続したナビゲーションに従って作品を再生することが可能になる。
【００２３】
本発明の効果としては、多くのＤＶＤ再生装置のリモコンが英数字キーを備えていないため、固定ページには英数字又は単に数字記号の集合が表示され、これらのページ間のナビゲーションは、たいていのリモコンに備わっている上／下／左／右キーと「ＯＫ」、「入力（Ｅｎｔｅｒ）」又は「確定（Ｖａｌｉｄａｔｅ）」キーを用いて有効にする。
【００２４】
そのため、ユーザーが所望の連続した英数字又は数字を選択し、これらの組合せだけで作品の再生のためのナビゲーションをすることが可能になる。
【００２５】
本発明の他の態様、目的及び効果は、図面を参照しながら後述する好ましい実施形態に続く詳細な説明においてより明確に述べられている。ただし本発明はこれらの例に限定されず、図面には、本発明の方法を実施するためのページの構成及びリンクを示している。
【発明を実施するための最良の形態】
【００２６】
まず、ＤＶＤ媒体の再生装置は、大部分において双方向の装置であり、ＤＶＤ媒体に記録されたデータの一部又は別のデータにアクセスするため、ユーザーは、この再生装置に接続しているテレビ画面に表示されるそれぞれ大きく異なる外観のメニューページ上でカーソル又は他の指示要素（枠空け、削除、下線等）を移動させる。したがって、それぞれのメニュー要素は、例えば、他のページへリンクしている別のメニューページへリンクする。
【００２７】
これらのメニューの構造及び形式は、オーサリング（チャプタ分割もひとつの要素であり、以下、「構成」と呼ぶ）として知られる工程でＤＶＤ媒体が製造される前に決定され、再生中に装置が認識する基準フォーマットのＤＶＤ媒体に記録・記憶される。
【００２８】
本発明によれば、とりわけ、ＤＶＤ媒体のオーサリングは、ユーザーが例えばＮ個の組合せである特定のコードを知っている場合にのみコンテンツの再生を許可するよう構成される。コードは、例えば、いかなる数字、文字、記号、単語、図形の連続した組合せであってもよいし、それらの組合せは連続していなくてもよい。
【００２９】
以下、本発明のある実施形態において、コンテンツの再生に必要なコードは、例えば「８６３５」という４桁のコードである。
【００３０】
再生装置にＤＶＤを挿入すると、自動的に表示されるウェルカムページから、又は「メニュー」キーを押すことで、異なった部分にアクセスするため、ユーザーはそれ自体は従来のやり方でＤＶＤのさまざまな双方向のメニューに移ることができる。
【００３１】
図面に示すように、本発明によると、そういったナビゲーションの過程においてコードで保護又は暗号化された部分へアクセスしたい場合、ＤＶＤに記録されたオーサリングでは始めにコードの最初の文字を入力するよう指示するページＰ１にアクセスする。
【００３２】
リモコンの上／下／左／右のキーを用いて、ユーザーは画面に表示されたカーソルをコードの最初の数字に動かし、選択確定キーを押すことで確定する（このキーは、店舗で購入した装置に備わっている「入力（Ｅｎｔｅｒ）」、「「ＯＫ」又は「確定（Ｖａｌｉｄａｔｅ）」などとして従来から知られている）。
【００３３】
ユーザーがコードの最初の数字（この場合は８）以外の数字を上記のように選択したとすると、上記オーサリングでは、２番目の数字の選択を指示する別の選択ページＰ５にアクセスする。このステップにおいて、選択・確定された数字が何であれ、３番目の数字の選択を指示する別のページＰ６にアクセスする。そして再び、選択・確定された文字が何であれ、４番目の数字の選択・確定を指示する別の選択ページＰ７に進む。さらに、このオーサリングでは、選択・確定した文字が何であれ、入力したコードが有効でないとユーザーに知らせるページＰ８に進む。
【００３４】
このページは、ＤＶＤのウェルカムページ又はコードを入力する最初のページＰ１等へ戻るリンクを含む。しかし、いずれの場合も、記録したプログラムの再生を許可するページへのリンクは含まれていない。
【００３５】
コードの最初の数字を選択する際にユーザーが正しいコード（つまり８）を選択すれば、２番目の文字の選択を指示する別のページＰ２へ進む。ここでもし別の間違った数（この場合６以外）を選択すれば、それに対応した次の選択ページＰ６へ進む。その後、入力された数が何であれ、最終的にはコードエラーを表示するページＰ８へ進む。
【００３６】
一方、ページＰ２でユーザーが正しい数字（６）を選択すれば、コードの３番目の数を入力するページＰ３へリンクする。
【００３７】
このとき、間違った数字を入力すれば、それに対応する次のページＰ７へ移り、その後、選択した４番目の数字が何であれ、ページＰ８でコードエラーが表示されることになる。
【００３８】
一方、ページＰ３で正しい数字（３）を選択すれば、ページＰ７と同じ画面である選択ページＰ４に進み、コードの４番目の数を選択する。そこで選択した数が正しくなければ、エラーページＰ８に進む。一方、正しい数字（５）を選択すれば、プログラムの再生装置に直接アクセスし、直接そのプログラムの再生を開始するか、又は、特にＤＶＤが保護されたプログラムや別々の再生装置で実行されるプログラムを含んでいる場合は、ユーザーが見たいコンテンツを選択できるようにするため、中間のページへ進む。
【００３９】
上記プロセスの第１の利点は、変更する必要のない市販のＤＶＤ再生装置で実現するということである。他の利点は、ページＰ２とＰ５の組、Ｐ３とＰ６の組及び最後のＰ４とＰ７の組はそれぞれ全く同じなので、コードのどの数字が正しくないかオーサリング工程の状況からは推定できないことである。これにより、前記組合せを破ることが、例えば、確定する前に数字のコードを全てキーボードで入力するのと同じくらい難しくなる。特に、正しい組合せであってもなくても、各要素を選択した次のページの画面は常に同じである。
【００４０】
上に述べた記載にはさまざまな変形例がある。特に、秘密の組合せが情報を入力しなくても得られ、計算を必要とせず確定でき、この目的で構成されたオーサリング工程の状況の中でナビゲーションだけで得られる場合、上記組合せは、平凡な数、文字、図形、単語全体等であり、これらの正しい組合せは各段階で選択・確定されなければならないことが分かる。また、本発明の保護システムは、市場に出回っているどんな再生装置でも操作可能である。
【００４１】
加えて、ＤＶＤ媒体のコンテンツは、媒体に記録されたオーサリングを回避することにより、一般に入手可能なコンピュータで容易に再生できることが明らかである。したがって、ＤＶＤのツリー構造を通じてナビゲーションすることが可能であり、．ｖｏｂファイルをダブルクリックすることでチャプターメニューを介さずにコンテンツを再生することができる。
【００４２】
本発明のさらに発展した例では、記録されたより困難なプログラムを正規に再生するため、これらのファイルへアクセスされる。
【００４３】
ここで、．ｖｏｂ形式のファイルはいくつかの映像トラックを含んでいることが知られている。従来より、この形式で得られる選択項目により、例えば、ユーザーは所定のシーンにおいて複数の視点からひとつを選ぶことができる。
【００４４】
したがって、．ｖｏｂファイルと、単一のステレオトラック又は多言語モードの場合は複数のステレオトラックが対応する一連の映像トラックＶ１〜Ｖｎとを比較することができる。
【００４５】
初期設定では、パソコン上の．ｖｏｂファイルをダブルクリックすると、最初の映像トラックＶ１が再生される。
【００４６】
本発明の改良例では、本物のプログラムの映像部分をトラックＶ２に設け、トラックＶ１にはこのプログラムに対応していないおとりの映像コンテンツを設ける。典型的には、これは、完全なブラックトラック（Ｂｌａｃｋ  Ｔｒａｃｋ）、又は該コンテンツを見るためにはコードが必要であることを示す静止画像を含むトラック、又はユーザーが望んだものではない他のコンテンツである。
【００４７】
上記オーサリングシステムでは、一方、秘密の組合せを用いてアクセスできる再生装置は、適切な映像トラックを参照している。
【００４８】
同時に、本物のプログラムに対応する再生装置にアクセスできない場合、ユーザーがおとりの映像トラック以外を再生するのを防止するため、視点を変更する機能がＤＶＤ媒体上で作動しないようにしなければならない。
【００４９】
別の例では、同じ原理を用いて、正規の音声トラックの代わりにおとりの音声トラックを用いてもよい。
【００５０】
本発明は、当然、上述の例や図面に限定されるものではなく、当業者であればさまざまな変更を加えることが可能である。
【産業上の利用可能性】
【００５１】
本発明は、特に、映像、音声、静止画像、文章等のデータへのアクセスのナビゲーションによる双方向の環境に適用され、さらには、それらのデータに対応するＤＶＤ、ＣＤ−Ｖｉｄｅｏ、ミニビデオディスク等の様々な種類の媒体にも適用される。
【００５２】
さらに、オーサリングによりコンテンツへのアクセスを防止できるので、それぞれの場合に、別々のコンテンツを保護するため別々の組合せを用いて、必要な場合は何度でも所定の媒体で実行することができる。
【図面の簡単な説明】
【００５３】
【図１】本発明の実施形態における本発明の方法を実施するためのページの構成及びリンクを示す図である。
【符号の説明】
【００５４】
Ｐ１〜Ｐ８  ページＰ１〜Ｐ８
【図１】
2009517797.tif 000003
【手続補正書】
【提出日】平成20年7月24日(2008.7.24)
【手続補正１】
【補正対象書類名】特許請求の範囲
【補正対象項目名】請求項８
【補正方法】変更
【補正の内容】
【請求項８】
請求項７に記載の方法において、
前記構成は、第１の選択ページ群と、少なくとも前記第１の選択ページ群のうちのいくつかと同一の外観を備えた第２の選択ページ群とを含み、
前記第１の選択ページ群のうちあるページで実行した選択が正しければ、前記第１の選択ページ群の次のページへリンクし、
前記第２の選択ページ群のうちあるページで実行した選択がどんな場合でも、前記第２の選択ページ群の次のページへリンクし、
前記第１の選択ページ群のうちあるページで実行した選択が正しくなければ、前記第２の選択ページ群の対応するページへリンクする、ことを特徴とする方法。
【国際調査報告】
2009517797.tif 000004
2009517797.tif 000005
2009517797.tif 000006
2009517797.tif 000007
2009517797.tif 000008
2009517797.tif 000009